(57)【要約】【課題】              広告媒体として、優れた広告効果を奏出する携帯電話端末を提供する。【解決手段】          携帯電話端末は、通話、メール、インターネット接続、撮像の各種機能の操作入力を行う操作手段と、各種の広告情報、該広告情報の出力制御情報及び機能使用可否情報（機能／広告情報）を格納する記憶手段と、前記記憶部に格納された広告情報を出力する情報出力手段と、記憶手段に格納された出力制御情報に基づき、所定動作をトリガとして前記記憶手段から広告情報を読出し、前記情報出力手段より出力するとともに、広告の出力可否に応じて携帯電話端末の機能の利用制限を行う制御手段と、を備える。また、上記携帯電話端末を用いた広告システムは、広告情報を提供する広告主装置と、広告主装置から取得した広告情報と出力制御情報とを前記携帯電話端末にプリインストール乃至配信する事業者装置、とを備える。【選択図】  図５
2005222126.tif 000002
【特許請求の範囲】
【請求項１】
操作入力部と、
広告情報と、該広告情報の出力トリガを構成する所定の動作内容の定義を含む出力制御情報と、携帯電話端末の少なくとも１以上の機能と出力する広告情報の出力可否とを関連付けてなる機能／広告情報と、を格納する記憶部と、
前記記憶部に格納された広告情報を出力する出力部と、
前記操作入力部を介して、広告情報の出力可否を受け付けて前記機能／広告情報を更新し、広告出力の可否を判定する制御部と、を備え、
前記制御部は、
前記機能／広告情報に基いて、携帯電話端末の機能の利用を制御するとともに、出力制御情報に基いて、前記広告情報の出力制御を行うこと、
を特徴とする携帯電話端末。
【請求項２】
操作入力部と、
広告情報と、該広告情報の出力トリガを構成する所定の動作内容の定義を含む出力制御情報と、携帯電話端末の少なくとも１以上の機能と出力する広告情報の出力可否とを関連付けてなる機能／広告情報と、を格納する記憶部と、
前記記憶部に格納された広告情報を出力する出力部と、
前記操作入力部を介して、機能の選択を受け付けて前記機能／広告情報を更新し、選択された機能の利用を制御する制御部と、を備え、
前記制御部は、
前記機能／広告情報に基いて、広告出力の可否を判定するとともに、出力制御情報に基いて、前記広告情報の出力制御を行うこと、
を特徴とする携帯電話端末。
【請求項３】
前記記憶部は、複数の広告情報を格納し、
前記制御部は、前記広告情報毎にそれぞれ出力トリガを含んだ出力制御情報に基づいて、広告情報を選択出力すること、
を特徴とする請求項１又は２に記載の携帯電話端末。
【請求項４】
前記記憶部は、複数の広告情報と、ユーザの属性情報とを格納し、
前記出力制御情報は、所定の動作内容と、広告出力対象となる属性情報とにより定められた各広告情報の出力トリガを含み、
前記制御部は、前記所定の動作内容が行われ、かつ、前記ユーザ情報が広告出力対象となる属性情報に適合するか否かによって、広告情報を選択出力すること、
を特徴とする請求項１乃至３いずれか一に記載の携帯電話端末。
【請求項５】
前記記憶部は、複数の広告情報を格納し、
前記出力制御情報は、所定の動作内容と、広告出力対象となる時間又は位置範囲とにより定められた各広告情報の出力トリガを含み、
前記制御部は、現在時刻又は携帯電話端末の位置情報に基いて、広告情報を選択出力すること、
を特徴とする請求項１乃至４いずれか一に記載の携帯電話端末。
【請求項６】
前記制御部は、
前記操作入力部を介して、前記出力制御情報に含まれる出力トリガとなる動作内容毎に、広告情報の出力可否を受け付けて、前記出力制御情報を更新し、
前記動作内容毎の広告情報の出力可否に応じて、広告情報の出力制御を行うとともに、携帯電話端末の機能の利用に制限を加えること、
を特徴とする請求項１乃至５いずれか一に記載の携帯電話端末。
【請求項７】
前記制御部は、前記広告情報の出力回数を記憶保持し、
前記広告情報の出力回数に応じて、携帯電話端末の機能の利用に制限を加えること、
を特徴とする請求項１乃至６いずれか一に記載の携帯電話端末。
【請求項８】
前記広告情報と、出力制御情報と、前記機能／広告情報と、前記制御部を構成するプログラムと、が予めインストールされていること、
を特徴とする請求項１乃至７いずれか一に記載の携帯電話端末。
【請求項９】
前記機能／広告情報は、ブロードバンドコンテンツ送受信機能の有効化と、所定の広告情報の出力とが組み合わされてなること、
を特徴とする請求項１乃至８いずれか一に記載の携帯電話端末。
【請求項１０】
請求項１乃至９いずれか一に記載の携帯電話端末と、
前記広告情報及び出力制御情報の入力を受け付けて、送信する広告主装置と、
広告主装置から入力される広告情報と前記出力制御情報とを前記携帯電話端末に対して送信する事業者装置と、
を備えることを特徴とする広告システム。
【請求項１１】
前記事業者装置は、前記広告主装置に対して、広告情報を送信した携帯電話端末のアドレス情報を送信し、
前記広告主装置は、前記広告情報が送信された携帯電話端末に対して、広告情報を送信すること、
を特徴とする請求項１０に記載の広告システム。
【請求項１２】
請求項１乃至９いずれか一に記載の携帯電話端末と、広告情報及び出力制御情報の入力・送信を行う広告主装置と、前記広告主装置から入力される広告情報と前記出力制御情報とを前記携帯電話端末に対して出力する事業者装置と、を備える広告システムを用いて行う広告方法であって、
前記広告主装置が、任意の出力形式による広告情報、並びに、該広告情報出力のトリガを構成する所定の動作内容の定義を含む出力制御情報の入力を受け付けて、前記事業者装置に対して、送信する広告情報入手工程と、
前記事業者装置が、前記広告情報と、出力制御情報と、前記機能／広告情報とを、前記携帯電話端末にプリインストールする広告埋め込み工程と、
前記携帯電話端末が、前記機能／広告情報と出力制御情報に基いて、携帯電話端末の機能の利用と、広告情報の出力制御を行う広告出力工程と、を含むこと、
を特徴とする広告方法。
【請求項１３】
更に、前記事業者装置が、前記広告埋め込み工程においてプリインストールを行った携帯電話端末のアドレス情報を入力し、前記広告主装置に対して送信する広告対象特定工程と、
前記広告主装置が、前記広告情報がプリインストールされた携帯電話端末に対して、前記広告情報及び広告制御情報を送信し、前記携帯電話端末をして、前記広告情報及び広告制御情報を更新させる広告情報更新工程と、を含むこと、
を特徴とする請求項１２に記載の広告方法。
【請求項１４】
更に、前記事業者装置が、前記広告埋め込み工程においてプリインストールを行った携帯電話端末のアドレス情報を入力し、記憶保持する広告対象特定工程と、
前記事業者装置が、前記記憶保持したアドレスに対して、前記広告情報及び広告制御情報を送信し、前記携帯電話端末をして、前記広告情報及び広告制御情報を更新させる広告情報更新工程と、を含むこと、
を特徴とする請求項１２に記載の広告方法。
【発明の詳細な説明】
【技術分野】
【０００１】
本発明は、広告システム、携帯電話端末及び広告方法に関し、特に、携帯電話端末の画像表示部、スピーカ等の出力手段を広告媒体として用いる広告システム、携帯電話端末及び広告方法に関する。
【背景技術】
【０００２】
広告媒体として、携帯電話端末を利用する方法が各種提案されている。例えば、特開２００２−７７４００号公報には、広告提供業者が作成した広告情報を、携帯電話網を介して、携帯電話端末に送信し、自動的に携帯電話端末の表示部に広告情報を出力する方式の広告情報送受信システムが紹介されている。また、特開２００２−１６９７３７号公報には、携帯電話端末の特性に着目し、携帯電話端末の位置に応じて、より効果的な広告を可能とした情報提供システムが提案されている。
【０００３】
【特許文献１】特開２００２−７７４００号公報
【特許文献２】特開２００２−１６９７３７号公報
【発明の開示】
【発明が解決しようとする課題】
【０００４】
上記したとおり、携帯電話端末向けの広告システムでは、広告情報を効率よくユーザに配信する方式については、各種提案されているが、パーソナルコンピュータ等に見られるように出荷（販売）に際し広告情報をプリインストールするようなことは行われていない。
【０００５】
勿論、広告情報を携帯電話端末にプリインストールすれば、広告情報の授受は不要となる。例えば、広告情報を含んだ画像を待受画面、着信画面等として表示し、或いは、広告情報を含んだ音声を着信音や各種動作として出力させる等が可能である。しかしながら、ユーザの承諾なしに広告情報の出力を行うことは、使い勝手・スタイルを重視する多くのユーザに受け入れられるものとは言いがたい。
【０００６】
また、位置情報や時間情報を広告情報の出力トリガとして採用することも提案されている。しかしながら、コストの高いコンテンツ、或いは、サービスと結合させるなどしない限り広告情報の含まれた画像や音声を、ユーザが好んで選択し、そのようなサービスを利用することも考えにくい。従って、相応のコストをかけなければ、良好な広告効果を得ることはできないケースも生じうる。
【０００７】
本発明は、上記した事情に鑑みてなされたものであって、その目的とするところは、良好な広告効果を上げることのできる携帯電話端末向け広告システム、携帯電話端末、広告方法を提供することにある。
【課題を解決するための手段】
【０００８】
前記課題を解決するための手段を提供する本発明の第１の視点によれば、通話、メール、インターネット接続、撮像等の各種機能を有する携帯電話端末を広告媒体として用いる場合に、好ましく適用できる携帯電話端末が提供される。該携帯電話端末は、前記各種機能のための操作入力を行う操作入力部と、広告情報、後述する出力制御情報及び機能／広告情報とを格納する記憶部と、前記記憶部に格納された広告情報を出力する出力部と、携帯電話端末の各種機能の使用可否制御と広告情報の出力制御を行う制御部と、を備える。前記出力制御情報は、少なくとも一出力単位の広告情報に対する出力トリガを構成する所定の動作内容の定義を含んでおり、機能／広告情報は、携帯電話端末の少なくとも１以上の機能と広告情報の出力可否とを関連付けたものである。このようにしてなる携帯電話端末において、前記制御部は、前記操作入力部を介して、利用者から利用する広告情報の出力可否を受け付けて前記機能／広告情報を更新し、広告の出力制御を行うとともに、携帯電話端末の機能の制限を行う。また、前記制御部が、前記操作入力部を介して、利用者から利用を希望する機能を受け付けて前記機能／広告情報を更新し、機能の利用制限（実行制御）を行うとともに、携帯電話端末において広告を出力させることもできる。
【０００９】
また、本発明の第２の視点によれば、前記広告情報及び出力制御情報の入力を受け付けて、事業者装置に対して、送信する広告主装置と、広告主装置から入力される広告情報と前記出力制御情報とを前記携帯電話端末に対して送信、プリインストール、配信等を行う事業者装置と、を備えて、上記した各携帯電話端末に対して、広告を行う広告システムが提供される。
【００１０】
更に、本発明の第３の視点によれば、上記した広告システムを用いて行う広告方法が提供される。該広告方法を説明すると、まず、前記広告主装置が、任意の出力形式による広告情報、並びに、出力制御情報の入力を受け付けて、前記事業者装置に対して、送信する（広告情報入手工程）。続いて、前記事業者装置が、前記広告情報と、出力制御情報と、前記機能／広告情報とを、前記携帯電話端末にプリインストールする（広告埋め込み工程）。そして、上記した各携帯電話端末が、前記機能／広告情報と出力制御情報に基いて、携帯電話端末の機能の利用と、広告情報の出力制御を行う（広告出力工程）。また、前記広告埋め込み工程において、前記事業者装置が、前記広告埋め込み工程においてプリインストールを行った携帯電話端末のアドレス情報を入手する広告対象特定工程と、前記広告主装置乃至事業者装置が、前記広告情報がプリインストールされた携帯電話端末に対して、前記広告情報及び広告制御情報を送信して、前記携帯電話端末をして前記広告情報及び広告制御情報を更新させる広告情報更新工程を追加することができる。
【発明の効果】
【００１１】
本発明によれば、携帯電話端末を効率の良い広告媒体として機能させることが可能となる。その理由は、携帯電話端末のユーザに対して、広告を出力することに対する適切なインセンティブを与える仕組みを提供したことにある。従って、携帯電話端末を購入したユーザに、携帯電話端末の各種付加価値的機能の利用権と引き換えに、広告を出力するという選択肢を選ばせることができる。また別の視点からすれば、携帯電話端末を購入したユーザに、広告を出力するという選択肢を選ぶことと引き換えに、携帯電話端末の各種付加価値的機能の利用権を与えるという運用を行うことができる。
【発明を実施するための最良の形態】
【００１２】
続いて、本発明の最良の形態について説明する。本発明は、その好ましい実施の形態において、通話、メール、インターネット接続、撮像の各種機能を具備する携帯電話端末（図１の１００）と、携帯電話端末の通信サービス提供事業者乃至メーカーによって管理される事業者装置（図１の２００）と、広告主乃至広告代理店によって管理される広告主装置（図１の３００）と、ネットワークを介して接続してなる広告システムの形態で具現される。
【００１３】
携帯電話端末は、公知の無線通信部（図３の１０１）、カメラ部（図２、図３の１０３、１０４）、操作入力を行う主・副の操作入力部（図２、図３の１０５、１０６）と、出力部を構成するスピーカ（図２、図３の１０８、１１５）、主・副表示部（図２、図３の１０９、１１０）等に加え、広告情報、出力制御情報及び機能／広告情報を格納する記憶部（図３の１１２）と、携帯電話端末の各種機能の使用可否制御、及び、広告情報の出力制御を行う制御部（図３の１１３）とを備えている。
【００１４】
制御部（図３の１１３）による、広告情報の出力制御は、機能／広告情報と、出力制御情報に基いて行われる。機能／広告情報は、選択された利用可能な機能と広告情報の出力可否を関連付けたものであり（図８、図１１参照）、出力制御情報は、出力する広告情報と、その広告情報に対する出力トリガを構成する所定の動作内容を定めた定義部分を含んでいる（図９、図１０参照）。ここでは、出力制御情報は、広告情報Ａに対して、出力トリガとして、ユーザが携帯電話端末の電源をＯＮにした場合に対する携帯電話端末の動作内容「電源ＯＮ」が定められ、広告情報Ｂに対して、出力トリガとして、ユーザが携帯電話端末の電源をＯＦＦにした場合に対する携帯電話端末の動作内容「電源ＯＦＦ」が定められているものとして説明する。
【００１５】
上記広告システムの動作を説明すると、まず、広告主装置（図１の３００）が、広告コンテンツとして、音声、画像、動画像、テキスト等、任意の出力形式による広告情報Ａ、Ｂと、上記広告情報を出力する条件をなす出力制御情報の入力を受け付け、事業者装置（図１の２００）に対して送信する。
【００１６】
続いて、事業者装置（図１の２００）は、出荷時乃至販売時に、広告主装置（図１の３００）から受信した広告情報Ａ、Ｂと、出力制御情報と、機能／広告情報とを携帯電話端末（図１の１００）にインストールする。
【００１７】
本実施の形態では、初期状態の機能／広告情報は、「音声通話機能」のみが有効化され、広告情報を出力しないことを意味するＮＵＬＬ値が設定されるものとして説明する。
【００１８】
前記広告情報と出力制御情報と機能／広告情報とがプリインストールされた携帯電話端末（図１の１００）が販売され、ユーザの手に渡った段階では、携帯電話端末（図１の１００）の制御部（図３の１１３）は、機能／広告情報を参照し、有効化された「音声通話機能」のみが利用可能となるよう制御する。また、機能／広告情報の「音声通話機能」には、広告を出力しないとの設定がなされているため、ユーザが電源操作を行って、出力制御情報に定められたトリガとしての動作内容「電源ＯＮ」、「電源ＯＦＦ」が成立した場合であっても、制御部（図３の１１３）は、広告情報の出力は行わない。
【００１９】
ここで、携帯電話端末の各種付加価値的機能のうち、「電子メール機能」の利用を望むユーザは、制御部（図３の１１３）が提供する機能選択メニューに従って、「電子メール機能」を選択する操作を行うと、制御部（図３の１１３）は、機能／広告情報の「電子メール機能」に有効フラグを付記するとともに、広告情報出力可との内容を設定する。
【００２０】
以後、ユーザが、電源操作を行った場合、出力制御情報のトリガとしての動作内容「電源ＯＮ」が成立すると、制御部（図３の１１３）は、出力制御情報に定められた広告情報Ａを出力する。また、同様に、動作内容「電源ＯＦＦ」が成立すると、制御部（図３の１１３）は、出力制御情報に定められた広告情報Ｂを出力する。
【００２１】
なお、広告情報の種類、態様は、携帯電話端末（図１の１００）で出力可能なものであれば、特に限定されるものではなく、携帯電話端末の機種やユーザ層に応じて、ターゲット層を指向した効果的な広告コンテンツを選択可能である。例えば、上位機能機種には、その高付加価値的機能に応じて、高価格/高価値物品に関する広告情報を格納し、若年層に人気のある機種には、若年層に人気のある商品に関する広告情報を格納する等の、携帯電話端末ユーザ層を意識した効率的な広告を行うことができる。
【００２２】
また特に、携帯電話端末（図１の１００）の記憶部に、ユーザ属性が格納されている場合には、出力制御情報に、広告出力対象となるユーザの属性を定めておき、年齢、性別、職業、住所、携帯電話通信の料金コース等に応じて、よりきめ細かく、効果的な広告を行うことができる。
【００２３】
また、出力制御情報に格納する、動作内容で表されるトリガも、広告情報の内容に応じて各種設定可能である。例えば、場所を志向した広告情報であれば、携帯電話端末（図１の１００）の位置情報（GPS;Global  Positioning  Satellite/Systemや局情報が利用可能である）が特定の地域の範囲内であることを指し示した場合に、エリア限定の広告を出力させることが可能である。また、同様に、時間に依存した広告情報であれば、複数の広告情報を用意しておき、携帯電話端末（図１の１００）の計時手段から入手される現在時刻とに応じて、複数の広告コンテンツを選択・出力させることも可能である。
【００２４】
以上の広告システムは、通信サービス提供事業者乃至メーカーが、広告主乃至広告代理店に対して有償で広告情報を募り、携帯電話端末出荷（販売）時に、広告主乃至広告代理店から送信された広告情報をプリインストールするビジネス方法としても把握可能である。通信サービス提供事業者乃至メーカーは、広告主/広告代理店から、出荷（販売）した携帯電話端末の数量に見合った広告料収入を得られることになり、その収益をもって、携帯電話端末の価格や通信料の割引等のユーザ囲い込み策や利用者への利益還元を図ったり、付加価値的機能・サービスを充実させたりすることが可能となる。
【００２５】
また、以上の広告方法は、携帯電話端末が、テレビ、有償動画像コンテンツ閲覧等のブロードバンドコンテンツ送受信機能を備えている場合に、より好適に適用される。即ち、高付加価値なコンテンツの作成に要する費用を、ユーザに直接転嫁するのではなく、広告料によって回収するビジネス方法を構築することが可能となる。
【実施例】
【００２６】
続いて、本発明の第１の実施例について、図面を参照して詳細に説明する。図１は、本発明に係る広告システムの全体構成例を表したシステム構成図である。図１を参照すると、本発明に係る広告システムは、携帯電話端末１００と、事業者装置２００と、広告主装置３００と、これらを相互に接続するインターネット等の通信ネットワーク４００とから主に構成されている。
【００２７】
事業者装置２００は、端末製造事業者、端末販売事業者、通信サービス事業者等の広告サービス提供者によって設置されるワークステーション・サーバ等の情報処理装置である。事業者装置２００は、後述するように、広告主装置３００から広告情報等を受信し、携帯電話端末１００に対して、携帯電話端末１００の所定記憶領域に広告情報を格納する。
【００２８】
広告主装置３００は、広告情報の発信元である製造、販売、サービス提供事業者等の広告主、或いは、これらから依頼を受けた広告代理店事業者により設置されるワークステーション・サーバ等の情報処理装置である。
【００２９】
携帯電話端末１００は、携帯型の携帯電話端末であり、ＰＤＡ（Personal  Digital  Assistant）や携帯型のコンピュータに接続されるカード式の端末装置も含む。図２は、携帯電話端末の入出力部を説明するため携帯電話端末の一例を表した図である。まず、図２を参照すると、携帯電話端末１００は、ＧＰＳ機能、２態様のカメラ機能とを備える折畳み型携帯電話端末である。携帯電話端末１００は、上部筐体と下部筐体とからなり、ヒンジを介して開閉可能に結合されている。
【００３０】
上部筐体内面側には、折畳み型携帯電話端末が開状態で使用可能な第１カメラ部１０３と、出力部を構成する各種情報表示を行う主表示部１０９、受話用スピーカ１１５が配設されている。また、上部筐体外面側には、折畳み型携帯電話端末が開/閉状態に係わらず使用可能な第２カメラ部１０４と、情報表示を行う副表示部１１０とが配設されている。第１カメラ部１０３と第２カメラ部１０４は撮像能力が異なっており、利用者は、使用場面に応じて、これらを使い分けることが可能となっている。
【００３１】
下部筐体内面側には、テンキー、スクロール/決定キー等から構成される主操作部１０５と、音声信号処理を行う送受話部（図３の１０７）への入出力を行うマイク１１４と、着信音等の各種報知音等を出力する報知用スピーカ１０８が配設されている。また、下側筐体側面には、上部筐体と下部筐体を閉じた状態でも操作可能な副操作部１０６が配設されている。
【００３２】
図３は、携帯電話端末の詳細機能構成を表したブロック図である。図３を参照すると、携帯電話端末１００は、無線通信部１０１と、測位（GPS）部１０２と、第１カメラ部１０３と、第２カメラ部１０４と、主操作部１０５と、副操作部１０６と、送受話部１０７と、報知用スピーカ１０８と、主表示部１０９と、副表示部１１０と、変位検出部１１１と、記憶部１１２と、制御部１１３と、マイク１１４と、受話用スピーカ１１５と、を備えている。
【００３３】
無線通信部１０１は、無線基地局との間で無線信号の送受信を行う機能を有している。測位部１０２は、図示しないＧＰＳ衛星からのＧＰＳ信号を受信して自機位置の測位を行う機能を有している。変位検出部１１１は、上部筐体と下部筐体との変位位置（開閉状態）を検出する機能を有している。記憶部１１２は、電話帳情報、送受信メール情報、発着呼情報、広告情報、出力制御情報、機能使用可否情報（機能／広告情報）等の各種情報、プログラム、携帯電話端末の各種設定、などを記憶保持する。制御部１１３は、携帯電話端末１００の上記各部の制御を行い、電話機能、メール機能、インターネット接続（ブラウザ）機能、カメラ機能、テレビ視聴機能等の制御を行う。
【００３４】
出力制御情報は、広告主が提供する広告情報と、その広告情報に対する出力トリガを構成する所定の動作内容を定めた定義部分を含んでいる。機能使用可否情報（機能／広告情報）は、利用者が設定する広告情報の出力可否に応じて、携帯電話端末１００の具備する機能を制限/許可するための情報である。これらの具体例は、後述の本システムの動作の説明において、適宜説明する。
【００３５】
続いて、上記構成からなる携帯電話端末を含んだ広告システムの動作について、図面を参照して説明する。図４は、携帯電話製造会社が広告サービス提供者となって、広告代理店又は直接広告主に対して、通信ネットワーク４００を介して、或いは、公知の通信手段によって、広告を募って広告を行うケースを想定した広告システムの動作を表した図である。ここで、携帯電話製造会社（事業者装置２００の管理・運営者）は、出荷時期を考慮して、広告代理店又は直接広告主（広告主端末３００の所有者）に対して、通信ネットワーク４００を介して、或いは、公知の通信手段によって、広告の募集案内を送付してあるものとして説明する。
【００３６】
図４を参照すると、まず、広告出稿希望のある広告主乃至広告代理店の広告主装置３００は、事業者装置２００へアクセスする（ステップＳ４０１）。事業者装置２００は、広告情報の送信を要求する（ステップＳ４０２）。広告主装置３００は、広告（携帯電話端末１００へ登録）を希望する広告情報の送信を行う（ステップＳ４０３、Ｓ４０４）。ここまでは、携帯電話製造会社は、広告出稿希望のある広告代理店又は広告主からの広告素材の提供を受ける過程に相当する。
【００３７】
続いて、広告主端末３００から広告情報を受信した事業者装置２００は、どのような状態で該広告情報の表示を行いたいのかという情報（出力情報）の送信を要求する（ステップＳ４０５）。広告主装置３００は、広告情報の内容、広告効果を勘案して、事業者装置２００の提供する入力フォームに従って、広告情報を出力させる条件（出力情報）を送信する（ステップＳ４０６、Ｓ４０７）。広告情報を出力させる条件（出力情報）としては、例えば、携帯端末の通信終了時（終話時）、メール送信時、カメラ撮影時、携帯電話端末１００が圏外時、電池残量低下時、オフラインモード（無線機能断）時等、携帯電話端末１００の各種機能と関連する動作内容が定められる。また、これらの他に、当広告情報を出力したい時刻情報（朝、昼、夜）、位置情報（都内、駅近辺、競技場、イベントホール、店舗近辺）等を併せて設定することが可能である。
【００３８】
事業者装置２００は、受信した広告情報を出力させる条件（出力情報）に基づいて、携帯電話端末１００における広告情報の出力を制御するための出力制御情報を生成する（ステップＳ４０８）。
【００３９】
続いて、事業者装置２００は、出荷乃至販売前の携帯電話端末１００のユーザメモリエリアに、広告情報、上記出力制御情報及び機能利用を制限/許可するための機能使用可否情報（機能／広告情報）を、プリインストールし、販売業者に出荷する。即ち、携帯電話端末１００には、広告主装置３００から送信された広告情報と、出力情報を元に生成された出力制御情報と、機能使用可否情報（機能／広告情報）とが格納される（ステップＳ４１１、Ｓ４１２）。
【００４０】
なお、広告情報は、携帯電話端末１００の利用者による消去が行えないよう格納されているものとする。以下、携帯電話端末１００に格納される広告情報は、複数の広告情報であるものとして説明するが、一の広告主が複数出力依頼するものであっても良いし、複数の広告主がそれぞれ出力依頼するものであっても良い。この場合に、これら複数の広告主の広告代理店の広告主装置３００により、まとめて送信されるものとしても良いことは勿論である。
【００４１】
続いて、利用者による携帯電話端末１００における広告情報の出力可否設定と各種機能との関係と併せながら、販売業者において販売された携帯電話端末１００側の動作について、図面を参照して説明する。
【００４２】
図５は、携帯電話端末における広告出力可否の入力と、これに基づく、機能利用の制限の流れを説明するための図である。また、図８は、機能使用可否情報（機能／広告情報）の一例を表した図である。
【００４３】
図５を参照すると、まず利用者は、携帯電話端末１００の制御部１１３の提供するメニューに従って、主操作部１０５を介して、複数の広告主からの広告情報（広告情報１、広告情報２）の選択入力を行う(ステップＳ５０１)。
【００４４】
ここで、利用者が広告情報１を選択した場合は、図８に示されたとおり、携帯電話端末１００の制御部１１３は、使用可能機能としてテレビ電話機能を含む携帯電話端末１００のすべての機能が利用可能となるよう機能使用可否情報（機能／広告情報）を更新する（ステップＳ５０２、Ｓ５０３、Ｓ５０４）。
【００４５】
一方、利用者が広告情報２を選択した場合は、図８に示されたとおり、携帯電話端末１００の制御部１１３は、使用可能機能として携帯電話端末１００の音声通話機能、メール機能（データ送受信機能）、カメラ機能が利用可能となるよう機能使用可否情報（機能／広告情報）を更新する（ステップＳ５０５、Ｓ５０６、Ｓ５０７）。
【００４６】
更に、広告情報１、２のいずれも選択されなかった場合、即ち、広告を一切表示しないという選択がなされた場合、図８に示されたとおり、携帯電話端末１００の制御部１１３は、携帯電話端末１００の音声通話機能のみが利用可能となるよう機能使用可否情報（機能／広告情報）を更新する（ステップＳ５０８、Ｓ５０９）。
【００４７】
なお、使用可能機能の選択及び組み合わせは、事業者装置２００により、複数の機能を備える携帯電話端末１００の機能の中から任意に設定可能であり、上述の例に限定されるものではない。また例えば、１回の通話時間を３分までにする、メールの送信文字数を制限する、伝送速度を制限する等の機能の利用範囲を制限する態様も採用可能であり、これらを段階的に構成し、１回の通話時間を３分以内、かつ、メール３００文字以内等の異種の機能を組み合わせることも可能である。当然に、広告情報、或いは、広告情報の出力状態の選択を段階的に設定可能とすることで、上記機能制限態様をきめ細かく設定することができる。
【００４８】
続いて、上記、広告情報の出力設定がなされた携帯電話端末の動作について、図面を参照して説明する。図６は、カメラ撮影の際に、時間帯に応じて楽音情報からなる広告情報を出力する旨の出力制御情報が格納された携帯電話端末１００の動作を表した図である。また、図９は、出力制御情報の設定例を表した図である。
【００４９】
図６を参照すると、まず、携帯電話端末１００において、第１カメラ部１０３、或いは、第２カメラ部１０４によるカメラ撮像時に、シャッターボタンとして割り当てられている主操作部１０５、或いは、副操作部１０６の押下操作がなされると（ステップＳ６０１）、携帯電話端末１００の制御部１１３は、現在時刻を参照し（ステップＳ６０２、Ｓ６０５）、図９に例示される出力制御情報を参照して、時刻に応じた広告情報（シャッター音）をスピーカ１０８より出力する。
【００５０】
例えば、現在時刻が時間帯6：00-12：00である場合、携帯電話端末１００の制御部１１３は、広告情報（朝）を読み出して、「ＡＡ朝コーヒー！」とのコピーを含んだ楽音情報を出力する（ステップＳ６０３、Ｓ６０４）。また例えば、現在時刻が時間帯１２:０１−１８:００である場合、携帯電話端末１００の制御部１１３は、広告情報（昼）を読み出して、「ＢＢスポーツ飲料！」とのコピーを含んだ楽音情報を出力する（ステップＳ６０６、Ｓ６０７）。そして、現在時刻が上記以外の時間帯で場合、携帯電話端末１００の制御部１１３は、広告情報（夜）を読み出して、「ＣＣビール！」とのコピーを含んだ楽音情報を出力する（ステップＳ６０８、Ｓ６０９）。
【００５１】
以上、出力制御情報として、撮像時のシャッター操作が定義されたケースについて説明したが、操作されたカメラ（第１カメラ部、第２カメラ部）に応じて、異なる広告情報を出力する等、広告情報と出力制御情報をさらに細分化設定することもできる。勿論、上記以外の動作、例えば、変位検出部１１１によって検出される上部筐体と下部筐体の変位によって、開動作、或いは、閉動作や、メール送信、電源操作、特定のボタン押下等、種々のものが採用可能である。また、これら種々の操作によって、広告情報が出力されることを利用者に周知させてもよいし、広告情報の内容に応じて、いくつかの出力トリガを秘密としても良い。
【００５２】
以上、広告情報として、楽曲情報が用意されたケースについて説明したが、音以外の画像情報や文字情報を、携帯電話端末１００任意の出力部に、出力するものとしてもよい。上述のカメラの例で言えば、撮影された画像を参照する際に、画像の一部に、広告主の商標、ハウスマーク、ロゴ、ＰＲ文等の広告情報を出力するものとしても良い。
【００５３】
続いて、上記、広告情報の出力設定がなされた携帯電話端末の別の動作について、図面を参照して説明する。図７は、所定動作（例えば、終話）と位置情報に応じて画像情報からなる広告情報を出力する旨の出力制御情報が格納された携帯電話端末１００の動作を表した図である。また、図１０は、出力制御情報の別の設定例を表した図である。
【００５４】
図７を参照すると、携帯電話端末１００において、送受話部１０７を介した通話中に、主操作部１０５の終話ボタンの押下操作がなされると（ステップＳ７０１）、携帯電話端末１００の制御部１１３は、測位（GPS）部１０２を介して、携帯電話端末１００の現在地（位置情報）を検出する（ステップＳ７０２）。
続いて、携帯電話端末１００の制御部１１３は、図１０に例示される出力制御情報を参照して、現在位置に応じた画像情報を主表示部１０９、又は、副表示部１１０に出力する。例えば、現在地が横浜市内である場合、携帯電話端末１００の制御部１１３は、広告情報（横浜）を読み出して、横浜地域で販売される「ＤＤビール！」との画像情報を出力する（ステップＳ７０４、Ｓ７０５）。また例えば、現在地が府中市内である場合、携帯電話端末１００の制御部１１３は、広告情報（府中）を読み出して、府中地域で製造される「ＥＥビール！」との画像情報を出力する（ステップＳ７０７、Ｓ７０８）。そして、現在地が上記以外の地域である場合、携帯電話端末１００の制御部１１３は、広告情報（その他）を読み出して、全国で販売される「ＦＦ牛乳！」との画像情報を出力する（ステップＳ７０９、Ｓ７１０）。
【００５５】
以上のとおり、本発明によれば、所定の動作と位置情報や現在時刻等の携帯電話端末の置かれた環境パラメータとを組み合わせて、効果的な広告を行うことが可能である。勿論、この場合に、利用者は、広告情報を出力しないよう設定することも可能であるが、携帯電話端末の各種機能の利用は、広告情報をより多く出力することが前提となっているため、利用者を、広告情報をより多く出力する方向へ誘引できるものとなっている。
【００５６】
また、上記実施例では、複数の広告情報について、出力トリガを定めた出力制御情報を生成し、プリインストールして、それぞれ選択出力させることとしているが、本発明は、少なくとも１出力単位の広告情報があれば足りることは勿論である。この場合にも、例えば、着信音として構成された広告情報の出力時間や出力音量等により、携帯電話端末の各種の動作に応じて、各種出力態様を出力制御情報に設定することが可能である。
【００５７】
また、上記実施例では、事業者装置２００が携帯電話端末１００に広告情報等一式をプリインストールするものとして説明したが、事業者装置２００乃至広告主装置３００が、必要に応じて（例えば、利用者により利用する機能の設定変更がなされた）、広告情報や出力制御情報を逐次送信するものとしてもよい。
【００５８】
また、上記実施例では、利用者が広告を選択し、それによって利用可能な機能が増大することとした一例を説明したが、図１１に示した機能使用可否情報（機能／広告情報）を用いて、利用者が利用したい機能を選択し、それによって、出力される広告情報が増大することしてもよい。
【００５９】
また、事業者装置２００が、上記広告情報等一式のプリインストールの際に、各携帯電話端末１００のＩＤ情報を取得し、これを活用するものとしてもよい。広告主装置３００が、各携帯電話端末１００のＩＤ情報を取得し、携帯電話端末１００からの要求に応じて、或いは、広告情報の更新毎に、当該ＩＤの携帯電話端末１００に対して、広告情報、或いは所定の情報を送信し、更新させるようにしてもよい。
【図面の簡単な説明】
【００６０】
【図１】本発明の一実施例に係る広告システムの全体構成を表したシステム構成図である。
【図２】本発明の一実施例に係る携帯電話端末の入出力部を説明するための図である。
【図３】本発明の一実施例に係る携帯電話端末の詳細構成を表したブロック図である。
【図４】本発明の一実施例に係る広告システムの動作を表した図である。
【図５】本発明の一実施例に係る携帯電話端末の動作を表した図である。
【図６】本発明の一実施例に係る携帯電話端末の動作を表した図である。
【図７】本発明の一実施例に係る携帯電話端末の動作を表した図である。
【図８】機能使用可否情報（機能／広告情報）の一例を表した図である。
【図９】出力制御情報の一例を表した図である。
【図１０】出力制御情報の別の一例を表した図である。
【図１１】機能使用可否情報（機能／広告情報）の別の一例を表した図である。
【符号の説明】
【００６１】
１００  携帯電話端末
１０１  無線通信部
１０２  測位部
１０３  第１カメラ部
１０４  第２カメラ部
１０５  主操作部
１０６  副操作部
１０７  送受話部
１０８  報知用スピーカ
１０９  主表示部
１１０  副表示部
１１１  変位検出部
１１２  記憶部
１１３  制御部
１１４  マイク
１１５  受話用スピーカ
２００  事業者装置
３００  広告主装置
４００  通信ネットワーク
【図１】
2005222126.tif 000003
【図２】
2005222126.tif 000004
【図３】
2005222126.tif 000005
【図４】
2005222126.tif 000006
【図５】
2005222126.tif 000007
【図６】
2005222126.tif 000008
【図７】
2005222126.tif 000009
【図８】
2005222126.tif 000010
【図９】
2005222126.tif 000011
【図１０】
2005222126.tif 000012
【図１１】
2005222126.tif 000013